(57)【要約】【課題】ハウスバンドとの摩擦を低減して、シートの寿命を担保し得るシート止用条材を提供する。【解決手段】第１係止部１１及び第２係止部１２の外側の側壁部３ａ，３ａの高さ寸法は同じにしてある。一方、第１係止部１１及び第２係止部１２の内側の側壁部３ｂ，３ｂは、前記両外側の側壁部３ａ，３ａの高さ位置を超えて延出してある。この第１係止部１１及び第２係止部１２の内側の側壁部３ｂ，３ｂの縁部は、第１係止部１１及び第２係止部１２の底壁部２，２と平行をなす平坦な帯板状の連結部４ａで連結してある。【選択図】図１
2006094723.tif 000002
【特許請求の範囲】
【請求項１】
距離を隔てて平行に配した帯状の２条の底壁部の両側縁にそれぞれ外側の側壁部及び内側の側壁部を立設し、対向する両内側の側壁部の縁部間を連結部にて連結してなり、内外の側壁部及び底壁部で囲まれる２つの部分の少なくとも一方に、シートの一部を挿入させて当該シートを止めるシート止用条材において、
前記連結部は、その幅方向の一部又は全部を前記両外側の側壁部より高くしてあることを特徴とするシート止用条材。
【発明の詳細な説明】
【技術分野】
【０００１】
本発明は、複数の骨材間に合成樹脂製のシートを展張してなる、所謂ビニルハウスにおいて、前記シートを止めるシート止用条材に関する。
【背景技術】
【０００２】
複数の骨材間に合成樹脂製のシートを展張してなる、所謂ビニルハウスにあっては、骨材間にシート止用条材を架設しておき、このシート止用条材にシートの一部を係止するようにしてある（例えば、特許文献１参照）。
【０００３】
即ち、図６に示した如く、シート止用条材７０は、端面視が縦断三角フラスコ底部形状をしており、両側部の上縁部はそれぞれ外側へ丸め加工してある。そして、シート止用条材７０内にシートＳの一部を挿入させた後、その上から、面内交互台形波形状のスプリングＰをシート止用条材７０内に嵌入させることによって、シートＳの一部をシート止用条材７０に係止させるようにしてある。
【０００４】
ところで、ビニルハウスでは換気を行うために、側部に配設したシートの一部を巻き上げ可能としたものがあり、そのようなビニルハウスに適用させるため、天井部に展張するシートと、側部に配する巻き上げ用のシートとを張り分け得る次のようなシート止用条材が開発されている。
【０００５】
図７は、２枚のシートを分けて展張するための従来のシート止用条材を示す斜視図である。図７に示した如く、シート止用条材５０、端面視が縦断三角フラスコ底部形状であり、シートの一部を係止させる第１係止部６１と、端面視が前記第１係止部６１と略同じ形状であり、他のシートの一部を係止させる第２係止部６２とを両者の幅方向へ適宜距離を隔てて並設し、両者の間を平坦な連結部５４で連結してある。
【０００６】
即ち、第１係止部６１及び第２係止部６２は、帯状の底壁部５２，５２の両側縁にそれぞれ側壁部５３ａ，５３ｂ、５３ａ，５３ｂを底壁部５２，５２に対して略４５°の角度になるように立設してあり、底壁部５２，５２と両側壁部５３ａ，５３ｂ、５３ａ，５３ｂとがなす両角部はそれぞれ円弧状になしてある。この両側壁部５３ａ，５３ｂ、５３ａ，５３ｂの縁部間の開口の幅寸法は底壁部５２，５２の幅寸法の２／３程度にしてある。
【０００７】
第１係止部６１及び第２係止部６２の前記連結部５４で連結された内側の側壁部５３ｂ，５３ｂの高さ寸法、並びに第１係止部６１及び第２係止部６２の外側の側壁部５３ａ，５３ａの高さ寸法は全て同じにしてあり、従って、連結部５４の高さ寸法は、第１係止部６１及び第２係止部６２の側壁部５３ａ，５３ｂ、５３ａ，５３ｂの高さ寸法と同じである。そして、第１係止部６１及び第２係止部６２の外側の側壁部５３ａ，５３ａの縁はそれぞれ、内側に２つ折りに屈曲させてある。一方、第１係止部６１及び第２係止部６２の内側の側壁部５３ｂ，５３ｂの縁と連結部５４とがなす角部は、円弧状に屈曲させてある。
【０００８】
図８は、図７に示したシート止用条材５０の使用状態例を示す斜視図である。なお、図中、図７に示した部分に対応する部分には同じ番号を付してその説明を省略する。図８に示した如く、蒲鉾形のビニルハウスＨの両肩部にそれぞれシート止用条材５０（５０）が、例えば第１係止部６１（６１）を上にして固定してある。そして、ビニルハウスＨの天井部に展開したシートＳの一縁部をシート止用条材５０の第１係止部６１内へ、また、前記シートＳの他縁部を他方のシート止用条材（５０）の第１係止部（６１）内へ挿入した後、両第１係止部６１（６１）内へ面内交互台形波形状のスプリングＰ（Ｐ）をそれぞれ嵌入させることによって、シートＳの両縁部を両シート止用条材５０（５０）に係止する。
【０００９】
また、両シート止用条材５０（５０）の第２係止部６２（６２）にそれぞれ、ビニルハウスＨの側部に展開させるシートＳ（Ｓ）の上縁部を挿入した後、両第２係止部６２，６２内へ前述したスプリングＳ（Ｓ）をそれぞれ嵌入させることによって、シートＳ（Ｓ）の両上縁部を両シート止用条材５０（５０）に係止する。このシートＳ（Ｓ）の下縁部には丸パイプ８０（８０）が連結してある。そして、丸パイプ８０（８０）の周囲にシートＳ（Ｓ）を巻回させることによって、シートＳ（Ｓ）を巻き上げるようにしてある。
【００１０】
このようにして天井部のシートＳ及び両側部のシートＳ（Ｓ）を展張させた後、弾性を有する紐状のハウスバンドＢ，Ｂ，…複数をビニルハウスＨの長手方向へ距離を隔てて配し、各ハウスバンドＢ，Ｂ，…をビニルハウスＨの一側から他側に亘って掛け渡すことによって、天井部のシートＳ及び両側部のシートＳ（Ｓ）を押さえるようにしてある。
【００１１】
【特許文献１】特開２００１−３０９７２６号公報
【発明の開示】
【発明が解決しようとする課題】
【００１２】
しかしながら、このような従来のシート止用条材  にあっては、次のような問題があった。
【００１３】
図９は、図８に示したビニルハウスの部分正断面図であり、図中、５０はシート止用条材である。図９に示した如く、第１係止部６１及び第２係止部６２にその一部を係止させたシートＳは、第１係止部６１の側壁部５３ａ，５３ｂの縁部及び第２係止部６２の側壁部５３ａ，５３ｂの縁部とハウスバンドＢとの間に強く挟持されている。そのため、風によってシートＳ，Ｓが膨縮した場合、ハウスバンドＢとシートＳとの摩擦によってシートＳに破れが発生し易く、シートＳの寿命が短くなるという問題があった。
【００１４】
本発明は斯かる事情に鑑みてなされたものであって、ハウスバンドとの摩擦を低減して、シートの寿命を担保し得るシート止用条材を提供する。
【課題を解決するための手段】
【００１５】
本発明は、距離を隔てて平行に配した帯状の２条の底壁部の両側縁にそれぞれ外側の側壁部及び内側の側壁部を立設し、対向する両内側の側壁部の縁部間を連結部にて連結してなり、内外の側壁部及び底壁部で囲まれる２つの部分の少なくとも一方に、シートの一部を挿入させて当該シートを止めるシート止用条材において、前記連結部は、その幅方向の一部又は全部を前記両外側の側壁部より高くしてあることを特徴とする。
【発明の効果】
【００１６】
本発明では、距離を隔てて平行に配した帯状の２条の底壁部の両側縁にそれぞれ外側の側壁部及び内側の側壁部を立設し、対向する両内側の側壁部の縁部間を連結部にて連結してなるシート止用条材において、前記連結部は、その幅方向の一部又は全部を前記両外側の側壁部より高くしてあるため、内外の側壁部及び底壁部で囲まれる２つの部分にそれぞれシートを係止させ、両シートをハウスバンドによって押さえた場合であっても、当該ハウスバンドは、主に連結部に当接する一方、前記両外側の側壁部には当接しないか、又は当接したとしても、弱い当接力で当接するので、風によって両シートが膨縮した場合であっても、ハウスバンドと両シートとの摩擦が小さく、両シートに破れが発生し難い。従って、両シートの寿命を担保することができる。
【発明を実施するための最良の形態】
【００１７】
本実施の形態に係るシート止用条材は、距離を隔てて平行に配した帯状の２条の底壁部の両側縁にそれぞれ外側の側壁部及び内側の側壁部を立設し、対向する両内側の側壁部の縁部間を連結部にて連結してなる。そして、連結部は、その幅方向の一部又は全部を前記両外側の側壁部より高くしてある。
【００１８】
以下、本発明の実施例を図面に基づいて詳述する。
【実施例１】
【００１９】
図１は、本発明に係るシート止用条材を示す斜視図であり、シート止用条材１ａは、端面視が縦断三角フラスコ底部形状をなし、シートの一部を係止させる第１係止部１１及び第２係止部１２を、両者の幅方向へ適宜距離を隔てて並設してある。第１係止部１１及び第２係止部１２は、帯状の底壁部２，２の両側縁にそれぞれ側壁部３ａ，３ｂ、３ａ，３ｂを底壁部２，２に対して略４５°の角度になるように立設してあり、底壁部２，２と両側壁部３ａ，３ｂ、３ａ，３ｂとがなす両角部はそれぞれ円弧状になしてある。この両側壁部３ａ，３ｂ、３ａ，３ｂの縁部間の開口の幅寸法は底壁部２，２の幅寸法の２／３程度にしてある。
【００２０】
また、第１係止部１１及び第２係止部１２の外側の側壁部３ａ，３ａの高さ寸法は同じにしてある。一方、第１係止部１１及び第２係止部１２の内側の側壁部３ｂ，３ｂは、前記両外側の側壁部３ａ，３ａの高さ位置を超えて延出してある。この第１係止部１１及び第２係止部１２の内側の側壁部３ｂ，３ｂの縁部は、第１係止部１１及び第２係止部１２の底壁部２，２と平行をなす平坦な帯板状の連結部４ａで連結してあり、従って、連結部４ａの高さ寸法は、前述した両外側の側壁部３ａ，３ａの高さ寸法より２ｍｍ〜７ｍｍ程度高くしてある。
【００２１】
ところで、第１係止部１１及び第２係止部１２の外側の側壁部３ａ，３ａの縁はそれぞれ、内側に２つ折りに屈曲させてある。一方、第１係止部１１及び第２係止部１２内側の側壁部３ｂ，３ｂの縁と連結部４ａとがなす角部は、円弧状に屈曲させてある。
【００２２】
図２は、図１に示したシート止用条材１ａの使用状態を説明する説明図である。なお、図中、図１に示した部分に対応する部分には同じ番号を付してその説明を省略する。図２に示した如く、シート止用条材１ａは、蒲鉾形のビニルハウスの肩部に、例えば第１係止部１１を上にして固定されており、シート止用条材１ａの第１係止部１１内に、ビニルハウスの天井部に展開したシートＳの一縁部を挿入した後、面内交互台形波形状のスプリングＰを嵌入させて、当該シートＳを第１係止部１１に係止してある。
【００２３】
また、シート止用条材１ａの第２係止部１２内に、ビニルハウスの側部に展開させるシートＳの上縁部を挿入した後、第２係止部１２内へ前述したスプリングＰを嵌入させることによって、当該シートＳをシート止用条材１ａに係止してある。そして、弾性を有する紐状のハウスバンドＢをビニルハウスの一側から他側に亘って掛け渡すことによって、天井部のシートＳ及び側部のシートＳを押さえてある。
【００２４】
このとき、本発明に係るシート止用条材１ａは、前述したように、連結部４ａの高さ寸法が、第１係止部１１及び第２係止部１２の外側の側壁部３ａ，３ａの高さ寸法より高くしてあるため、ハウスバンドＢは、主に連結部４ａに当接する一方、第１係止部１１及び第２係止部１２の外側の側壁部３ｂ，３ｂには当接しないか、又は当接したとしても、弱い当接力で当接する。そのため、風によってシートＳ，Ｓが膨縮した場合であっても、ハウスバンドＢとシートＳ，Ｓとの摩擦が小さいため、シートＳ，Ｓに破れが発生し難く、シートＳ，Ｓの寿命を担保することができる。
【実施例２】
【００２５】
図３及び図４は、実施例２に係るシート止用条材を示す斜視図であり、連結部の形状を異ならせてある。なお、図中、図１に示した部分に対応する部分には同じ番号を付してその説明を省略する。
【００２６】
図３に示した場合にあっては、シート止用条材１ｂの連結部４ｂは、端面視が三角屋根形をしている。即ち、シート止用条材１ｂに設けた第１係止部１１及び第２係止部１２の外側の側壁部３ａ，３ａの高さと、第１係止部１１及び第２係止部１２の内側の側壁部３ｂ，３ｂの高さとは同じにしてあり、連結部４ｂは、その第１係止部１１及び第２係止部１２の内側の側壁部３ｂ，３ｂに、両内側の側壁部３ｂ，３ｂの高さと同じ高さで連結する両縁部からそれぞれ、両内側の側壁部３ｂ，３ｂ間の中央位置に向けて漸次高くなしてある。
【００２７】
一方、図４に示した場合にあっては、シート止用条材１ｃの連結部４ｃは、前述した第１係止部１１及び第２係止部１２の内側の側壁部３ｂ，３ｂに、両内側の側壁部３ｂ，３ｂの高さと同じ高さで連結する両縁部からそれぞれ適宜寸法ずつ、その高さ寸法で延設した後、両内側の側壁部３ｂ，３ｂ間の略中央位置において半円筒凸状に成形してなり、従って、連結部４ｃの幅方向の略中央には凸部４１が形成してある。
【００２８】
このように、いずれの場合も連結部４ｂ，４ｃの中央部分の高さを、第１係合部１１及び第２係合部１２の内側の側壁部３ｂ，３ｂの高さより高くしてあるため、第１係止部１１及び第２係止部１２に係止させた両シートをハウスバンドによって押さえた場合であっても、前同様、当該ハウスバンドは、主に連結部４ｂ，４ｃに当接する一方、第１係止部１１及び第２係止部１２の外側の側壁部３ａ，３ａには当接しないか、又は当接したとしても、弱い当接力で当接するので、風によって両シートが膨縮した場合であっても、ハウスバンドと両シートとの摩擦が小さく、両シートに破れが発生し難い。従って、両シートの寿命を担保することができる。
【００２９】
一方、いずれの場合も第１係止部１１及び第２係止部１２の内側の側壁部３ｂ，３ｂの高さは、第１係止部１１及び第２係止部１２の外側の側壁部３ａ，３ａの高さと同じであるため、両係止部１１，１２にそれぞれシートを前述したスプリングによって係止させる作業を、連結部４ｂ，４ｃの形状に拘わらず、円滑に行うことができる。
【実施例３】
【００３０】
図５は、図１に示したシート止用状材１ａの他の使用様態を示す斜視図であり、ビニルハウス内に生じる露を受けるようにしてある。図５に示した如く、蒲鉾形のビニルハウスの肩部にシート止用条材１ａが、例えば第１係止部１１を上にして固定してある。そして、ビニルハウスの側部に配したシートＳの上縁を第２係止部１２に挿入した後、ビニルハウスの天井部に展開したシートＳの一縁部をシート止用条材１ａの第２係止部１２内へ挿入し、更に第２係止部１２内へ面内交互台形波形状のスプリングを嵌入させることによって、両シートＳ，Ｓが係止してある。
【００３１】
このとき、シート止用条材１ａの連結部４ａが第１係止部１１の外側の側壁部３ａより高いため、ビニルハウスの天井部に展開したシートＳは、図５に示した如く、シート止用条材１ａの連結部４ａには接触しているが、第１係止部１１の外側の側壁部３ａには接触していない。従って、このシートＳの内面を流下した露は、シート止用条材１ａの当該シートＳが接触している連結部４ａを伝って、第１係止部１１内に流入して、そこに貯留される。これによって、天井部に展開したシートＳの内面に生じた露がビニルハウスの内部に滴下することが防止され、栽培中の植物に罹病等の悪影響を及ぼすことが回避される。
【図面の簡単な説明】
【００３２】
【図１】本発明に係るシート止用条材を示す斜視図である。
【図２】図１に示したシート止用条材の使用状態を説明する説明図である。
【図３】実施例２に係るシート止用条材を示す斜視図である。
【図４】実施例２に係るシート止用条材を示す斜視図である。
【図５】図１に示したシート止用条材の他の使用態様を示す斜視図である。
【図６】従来のシート止用条材の使用状態を説明する説明図である。
【図７】２枚のシートを分けて展張するための従来のシート止用条材を示す斜視図である。
【図８】図７に示したシート止用条材の使用状態例を示す斜視図である。
【図９】図８に示したビニルハウスの部分正断面図である。
【符号の説明】
【００３３】
１ａ    シート止用条材
１ｂ    シート止用条材
１ｃ    シート止用条材
２      底壁部
３ａ    側壁部
３ｂ    側壁部
４ａ    連結部
４ｂ    連結部
４ｃ    連結部
１１      第１係止部
１２      第２係止部
Ｂ      ハウスバンド
Ｐ      スプリング
Ｓ      シート
Ｈ      ビニルハウス
【図１】
2006094723.tif 000003
【図２】
2006094723.tif 000004
【図３】
2006094723.tif 000005
【図４】
2006094723.tif 000006
【図５】
2006094723.tif 000007
【図６】
2006094723.tif 000008
【図７】
2006094723.tif 000009
【図８】
2006094723.tif 000010
【図９】
2006094723.tif 000011